【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】
コンテンツ供給ノードからコンテンツ要求ノードにデータを転送する方法であって、前記コンテンツ要求ノードにおいて、
第１要求を前記コンテンツ供給ノードに送信し、前記第１要求が認定ノードに通知するためのものである、ステップと、
前記コンテンツ供給ノードからの通知に応答して、前記認定ノードから許可を受信するステップであって、前記認定ノードからの受信は、前記許可が準備された後に、前記コンテンツ供給ノードによる作動なく行われる、ステップと、
前記許可に応答してファイル識別子を判定するステップと、
前記ファイル識別子を備えた第２要求を前記コンテンツ供給ノードに送信するステップと、
前記許可の受信に応答して、第１報告をイベント報告ノードに送信するステップと、
前記ファイル識別子によって識別したファイルからデータを受信するステップと、
前記ファイル識別子によって識別したデータの受信に応答して、前記イベント報告ノードに第２報告を送信するステップと、
を備えている、方法。
【請求項２】
請求項１記載の方法において、前記イベント報告ノードが前記第１報告を受信したことの承認を受信したことにも応答して、前記第２要求を送信する、方法。
【請求項３】
請求項１記載の方法において、前記第２報告は、前記データの使用期間を含む、方法。  
【請求項４】
請求項１記載の方法において、前記ファイル識別子を判定する前記ステップは、前記許可の少なくとも一部の暗号を解読することを含む、方法。
【請求項５】
請求項１記載の方法であって、更に、前記許可に応答して、前記イベント報告ノードを特定するステップを含む、方法。
【請求項６】
請求項５記載の方法において、前記イベント報告ノードの同一性は、前記コンテンツ供給ノードの同一性とは無関係である、方法。
【請求項７】
請求項１記載の方法において、
（ａ）前記コンテンツ供給ノードは、マップ・ファイルを備えており、
（ｂ）前記要求の少なくとも一部にしたがって前記マップ・ファイルにアクセスすることによって、前記許可の一部を準備し、
（ｃ）前記許可の前記一部にしたがって前記ファイル識別子を判定する、
方法。
【請求項８】
ディジタル著作物へのアクセスを管理する方法の印を有するディジタル記憶装置を有するシステムであって、前記方法は、第１コンピュータ・システムが実行するためのものであり、
ネットワークを通じて、前記ディジタル著作物に対する第１要求を第２コンピュータ・システムに送信するステップであって、前記第１要求が第３コンピュータに通知するためのものである、ステップと、
前記ネットワークを通じて、前記第３コンピュータ・システムから許可を受信するステップであって、前記許可は、前記第２コンピュータ・システムからの通知に応答して送られ、前記第３コンピュータ・システムからの受信は、前記許可が準備された後、前記第２コンピュータ・システムによる作動なく行われる、ステップと、
前記許可にしたがってファイル識別子を判定するステップと、
前記ファイル識別子を含む第２要求を、前記第２コンピュータ・システムに送信するステップと、
前記第２コンピュータ・システムから、第４コンピュータ・システムの識別子と前記ディジタル著作物とを受信するステップと、
前記ディジタル著作物および前記識別子の受信に応答して、前記第４コンピュータ・システムに報告を送信するステップであって、前記ディジタル著作物への不正アクセスを検出するために前記許可および前記報告を設ける、ステップと、
を備えている、システム。
【請求項９】
請求項８記載のシステムにおいて、
前記許可は、ネットワーク・アドレスの第１の印を含み、
前記方法は、更に、前記第１の印と前記第１コンピュータ・システムのネットワーク・アドレスとの比較に応答して、前記方法の実行を中止するステップを含む、システム。
【請求項１０】
請求項８記載の方法において、  
（ａ）前記第２コンピュータ・システムは、マップ・ファイルを備えており、
（ｂ）前記要求の少なくとも一部にしたがって前記マップ・ファイルにアクセスすることにより、前記許可の一部を準備し、
（ｃ）前記許可の前記一部にしたがって前記ファイル識別子を判定する、
方法。
【請求項１１】
コンテンツ供給ノードからコンテンツ要求ノードにデータを転送する方法であって、該方法は、前記コンテンツ要求ノードにおいて、
前記コンテンツ供給ノードに第１要求を送信するステップであって、前記第１要求が認定ノードに通知するためのものである、ステップと、
前記コンテンツ供給ノードからの通知に応答して、前記認定ノードから許可を受信するステップであって、前記認定ノードからの受信は、前記許可が準備された後、前記コンテンツ供給ノードによる作動なく行われる、ステップと、
前記許可に応答して、ファイル識別子を判定するステップと、
前記ファイル識別子を含む第２要求を、前記コンテンツ供給ノードに送信するステップと、
前記ファイル識別子によって識別したファイルからデータを受信するステップと、
を備えている、方法。
【請求項１２】
請求項１１記載の方法において、
（ａ）前記許可は、時刻の印を含み、
（ｂ）前記方法は、更に、
前記許可を受信した後、前記時刻の印を現在の時刻と比較して差を得るステップと、
前記差が所定の期間を超過した場合、前記ファイルから全てのデータを受信する前に、前記方法の実行を中止するステップと、
を含む、方法。
【請求項１３】
請求項１１記載の方法において、
（ａ）前記許可は、ネットワーク・アドレスの印を含み、
（ｂ）前記方法は、更に、前記ネットワーク・アドレスの印と、前記コンテンツ要求ノードのネットワーク・アドレスとにしたがって比較を行い、該比較に応答して、前記方法の実行を中止するステップを含む、方法。
【請求項１４】
請求項１１記載の方法であって、更に、前記許可の受信に応答して、第１報告をイベント報告ノードに送信するステップを含む、方法。
【請求項１５】
請求項１１記載の方法であって、更に、前記許可の受信に応答して、第１報告を複数のノードに送信するステップを含む、方法。
【請求項１６】
請求項１１記載の方法において、
（ａ）前記方法は、更に、
前記許可の受信に応答して、第１報告をイベント報告ノードに送信するステップを含み、
（ｂ）前記第１要求および前記許可にしたがって前記第１報告を準備する、
方法。
【請求項１７】
請求項１６記載の方法において、前記第１報告を、更に、前記ファイル識別子によって識別したデータの少なくとも一部にしたがって準備する、方法。
【請求項１８】
請求項１６記載の方法において、前記第１報告は、時刻を含む、方法。
【請求項１９】
請求項１１記載の方法において、
（ａ）前記方法は、更に、
前記許可の受信に応答して、第１報告をイベント報告ノードに送信するステップと、
前記ファイル識別子によって識別したデータの受信に応答して、第２報告を前記イベント報告ノードに送信するステップと、
を含み、
（ｂ）前記第１要求と、前記ファイル識別子によって識別したデータの少なくとも一部とにしたがって、前記第２報告を準備する、方法。
【請求項２０】
請求項１１記載の方法において、前記要求は、前記認定ノードのノード・アドレスを特定するには不十分である、方法。
【請求項２１】
請求項１１記載の方法において、
（ａ）前記コンテンツ供給ノードは、マップ・ファイルを備えており、
（ｂ）前記要求の少なくとも一部にしたがって、前記マップ・ファイルにアクセスすることによって、前記許可の一部を準備し、
（ｃ）前記許可の前記一部にしたがって、前記ファイル識別子を判定し、
（ｄ）前記要求は、前記マップ・ファイルを識別する印を含む、方法。